(57)【要約】【課題】香りを体験できる香気装置において、迅速な香り体験ができる為に被体験者の鼻先で短時間で香りを放出し、また残り香が無いようにする手段を有する装置が必要であった。また、この装置は被体験者の鼻先に安定して保持しなくてはいけない。【解決手段】香気装置に、被体験者の鼻先に保持できる香気ヘッドを構成する。これは自在アームで安定して位置を保持される。この香気ヘッドには香りのカートリッジが装着されており、配管を経て無臭気体をこのカートリッジに供給すれば、カートリッジから香りの物質を含む気体を発生できるので迅速に体験できる。また、香気ヘッドは脱臭を目的とした排気も備えているので残り香も無い。【選択図】    図１
2005304608.tif 000002
【特許請求の範囲】
【請求項１】
被体験者の鼻先において、香り物質を含む気体を放出でき、かつ脱臭の為の排気をすることができる香気ヘッドを有することを特徴とする香気装置。
【請求項２】
請求項１において、香り物質を含む気体を放出するのに用いる無臭気体を供給する為の配管と脱臭をおこなう吸気の為の配管が、香気ヘッドを空中の位置に保持する自在アームと一体化されていることを特徴とする香気装置。
【請求項３】
請求項１において、香気ヘッドは香り物質を含む二以上のカートリッジが装着でき、カートリッジの選択手段と、脱臭を効率的におこなえるフードから構成されることを特徴とする香気装置。
【請求項４】
請求項１において、空気、窒素、酸素、二酸化炭素等の無臭の気体を香気ヘッドのカートリッジの中に通すことにより、香り物質を含む気体を放出することを特徴とする香気装置。
【請求項５】
請求項１において、無臭の気体を供給するポンプ、ファン、コンプレッサ類は香気ヘッドから０．１メートルから１メートルまでの任意の距離に離して設置されることを特徴とする香気装置。
【請求項６】
請求項１において、脱臭をおこなう吸気の為のポンプ、ファン、コンプレッサ類は香気ヘッドから０．１メートルから１メートルまでの任意の距離に離して設置されることを特徴とする香気装置。
【発明の詳細な説明】
【技術分野】
【０００１】
本発明は、被体験者の近傍に設置し、匂いを体験できる装置において、被体験者が望む匂い濃度を迅速に調製でき、過剰な匂い物質の残留等が防止できる香気装置に関するものである。
【背景技術】
【０００２】
被体験者から離れた場所で調製された香り物質を含む空気等をチューブ等の配管で被体験者の近傍に輸送し拡散する機能と、過剰な匂い物質の残留等を防止するための脱臭の機能を併せ持つ香気装置は公表されている。しかし、被体験者の近傍で無臭気体を香りのカートリッジに通気させることから香り物質を含む気体を拡散できる手段と、過剰な匂い物質の残留等を防止するための脱臭の機能を併せ持つ香気装置は公表されていない。
【０００３】
【特許文献１】特開２００３−２６０１２１
【発明の開示】
【発明が解決しようとする課題】
【０００４】
香気装置において、従来よりも増して迅速に匂い濃度を調整でき、過剰な匂い物質の残留を防止するためには、被体験者の鼻先にできる限り近い空間において、香り物質を含む気体を放出し、また脱臭の為に排気をおこなうことが必要である。以下において、被体験者の鼻先に設置する部分を香気ヘッドと呼称する。被体験者から離れた場所で、香り物質を含ませた空気をチューブ等の配管で香気ヘッドに輸送して拡散する場合、香り物質を切り替える度に、配管内に残留する香り物質の排出に時間がかかり、迅速に切り替えができない。また、鼻先に拡散される香り物質は局所的に一箇所に集中して放出されるので、自然な空気対流による拡散では香り物質の濃度は低下しにくい。残り香を防止する為には積極的に脱臭する機能がより必要である。
【０００５】
鼻先に設置する香気ヘッドの場合、香り物質を含む気体を迅速に切り替えができる機能と、脱臭の機能が必要である。また、香気ヘッドは被体験者の顔面近くに設置されるので極力小型化されるのが望ましい。
【０００６】
被体験者にとって、香気ヘッドと鼻先との間の距離を適正に調整しないと香りの強さを正しく体験できない。香気ヘッドを自在に位置変更及び保持ができなくてはいけない。
【課題を解決するための手段】
【０００７】
香気ヘッドは、無臭気体を供給すると香り物質を含む気体を放出できる。香気ヘッドは二以上の香りのカートリッジと、それらから希望する香りを選択できる手段と、脱臭機能とそのためのフードで構成される。無臭気体を供給する、あるいは脱臭する為の排気をするポンプ、ファン、コンプレッサ類は、香りヘッドとは別置きで構成され、その間はチューブ等で配管される。無臭気体を供給する配管内は常に無臭気体しか存在しないので、香り物質を切り替える場合、当然ながら配管内に香り物質が残留していないので迅速に切り替えられる。
【０００８】
香気ヘッドに気体を供給する、あるいは排気するポンプ、ファン、コンプレッサ類との間の配管と、香気ヘッドを保持する変形アームを一体化すると、香気ヘッドの位置を被体験者自身が簡便かつ自在に変更できる。
【発明の効果】
【０００９】
香気ヘッドにおいて、香りカートリッジから香り物質を含む気体を拡散でき、脱臭もできることにより、従来よりも迅速な香りの種類と濃度の変更ができる。また、香気ヘッドが自在に位置変更及び保持ができるので、被体験者は安定して香りを体験できる。
【発明を実施するための最良の形態】
【００１０】
以下、本発明の実施形態を図面に基づいて説明する。
【実施例１】
【００１１】
図１に本発明の香気装置の一例を示す。香気ヘッド１１は自在アーム１２により空中の任意の位置に保持される。これはアームが変形できる範囲内で、簡便に位置変更できる。自在アーム１２の他方の端はスタンド台１３に固定され、保持されることにより、床面あるいはテーブルの上等にこの自在アームは安定して設置できる。スタンド台１３のかわりに、クランプ形状の挟みこむ機構にして、机などの端に固定させてもよい。無臭気体の供給手段１４はポンプ、ファン、コンプレッサ等で構成される。無臭気体の供給手段１４は香気ヘッド１１との間が０．１メートルから１メートルの範囲内で設置される。無臭気体の供給手段１４から無臭気体の供給の配管１６を経て無臭気体は香気ヘッド１１に供給される。無臭気体の供給手段１４はポンプ、ファン、コンプレッサ等で構成される。脱臭の為の排気手段１５は香気ヘッド１１との間が０．１メートルから１メートルの範囲内で設置される。香気ヘッド１１から脱臭の為の排気の配管１７を経て残り香は脱臭の為の排気手段１５へ排気される。自在アーム１２として金属製フレキシブルチューブ等を用いた場合は、その管の内部に無臭気体の供給の配管１６と脱臭の為の排気の配管１７を収納してこれらを一体化してもよい。あるいは自在アーム１２の外側に、無臭気体の供給の配管１６と脱臭の為の排気の配管１７を固定して一体化させてもよい。
【００１２】
図２に本発明の香気ヘッドの図を示す。収納ホルダ２１には二以上の香りカートリッジが挿入されている。それらのカートリッジから選択された、希望する香りのカートリッジに対して無臭気体の供給の配管２３から無臭気体が供給される。収納ホルダ２１から香り物質を含む気体が放出され、この気体はフード２２を通って香気ヘッド１１の近傍に拡散される。香り物質を含む気体の放出から被体験者の鼻への気体の行路は従来の装置より非常に短いので、無臭気体の供給開始から迅速な待ち時間で香りを体験できる。
【００１３】
香り物質を含む気体の拡散を停止したい場合はまず、無臭気体の供給の配管２３から供給される無臭気体を停止させる。これにより収納ホルダ２１のカートリッジからの香り物質を含む気体の放出が停止する。しかし、既に拡散された香り物質が、フード２２の中及び香気ヘッド１１の近傍に残留している。これらは脱臭の為の排気の配管２４から吸気して排気することにより取り除かれる。よって残り香が少ない香り物質を含む気体の放出の停止が実現できる。
【実施例２】
【００１４】
図３に請求項４係わる第１の実施例を示す。収納ホルダ３１に香りのカートリッジ３２が二以上装着されている。カートリッジ３２の形状は円筒状あるいは多角柱状で、その法線方向に気体が流動できる空間がある。無臭気体がこの空間を流動すると、カートリッジに格納されていた香り物質がこの気体に拡散し、香り物質を含む気体を放出する。この気体の流れを制御するシャッタ、バルブ類がカートリッジにおける気体の出入り面３３に構成され、それらを制御することにより希望するカートリッジから香り物質を含む気体を放出させる。
【産業上の利用可能性】
【００１５】
本発明は前述の実施の形態に限定されるものではなく、医療装置の一部の用途にも適用できる。
【図面の簡単な説明】
【００１６】
【図１】本発明の香気装置の要部斜視図。
【図２】香気ヘッドの要部斜視図。
【図３】香りカートリッジの収納ホルダの要部斜視図。
【符号の説明】
【００１７】
１１．香気ヘッド
１２．自在アーム
１３．スタンド台
１４．無臭気体の供給手段
１５．脱臭の為の排気手段
１６．無臭気体の供給の配管
１７．脱臭の為の排気の配管
２１．香りのカートリッジの収納ホルダ
２２．フード
２３．無臭気体の供給の配管
２４．脱臭の為の排気の配管
３１．収納ホルダ
３２．香りのカートリッジ
３３．カートリッジにおける気体の出入り面
【図１】
2005304608.tif 000003
【図２】
2005304608.tif 000004
【図３】
2005304608.tif 000005